(57)【要約】      （修正有）【課題】シュノーケルに警笛を発生可能なホイッスルを設け、シュノーケルを使用中に非常事態が発生した場合に、比較的大音量な警笛を発することができ、周囲の注意を引くことを可能とする。【解決手段】主に呼吸管１０及びホイッスル２０から構成され、呼吸管１０にホイッスル２０を設置する。呼吸管１０は一般的な形式で構成され、上端のノズル１１、パイプ１２、主要構造部１３、マウス部通気口１４等から構成される。これにより通常シュノーケルの機能を備え、大きな音を発する必要がある時、ホイッスル２０は使用者が吹く息によりホイッスル音を生じさせることが可能となる。【選択図】図１
0003118015.tif 000002
【実用新案登録請求の範囲】
【請求項１】
吹く息により比較的大きな音を発することが可能なホイッスルを設置することを特徴とするホイッスル付シュノーケル。
【請求項２】
前記ホイッスルはマウス部通気口付近に設置されることを特徴とする請求項１に記載のホイッスル付シュノーケル。
【請求項３】
前記マウス部通気口付近は回転させることが可能であることを特徴とする請求項２に記載のホイッスル付シュノーケル。
【請求項４】
前記ホイッスルは防水器部に設置されることを特徴とする請求項１に記載のホイッスル付シュノーケル。
【請求項５】
前記ホイッスルはシュノーケルのパイプ部に設置されることを特徴とする請求項１に記載のホイッスル付シュノーケル。
【考案の詳細な説明】
【技術分野】
【０００１】
本考案は、水泳、シュノーケリング等に利用するシュノーケルに関するものであり、ホイッスルを設けたシュノーケルを提供する。
【背景技術】
【０００２】
公知の水泳、シュノーケリング等の水上及び水中運動時に利用されるシュノーケルは、主な機能として呼吸管の上部口が水面を超過している時に、使用者がマウス部を利用し吸気及び呼気動作をすることにより呼吸を可能にし、使用者の頭部（主に口鼻）が水中にある場合も呼吸を可能にする。
【０００３】
水上及び水中での活動（運動）は多少の危険性があり、使用者が思いがけない事態に直面し、或いは非常事態が発生した場合に、通常は他人の注意を引く大きな音や信号を出すことは困難であり、救援及び非常事態を逃れる措置を取る機会を失ってしまうのである。
【０００４】
通常、非常事態発生時及び周囲の注意を引く必要がある状況時は、ホイッスルを用いて大きな音を発することが常用の方式であるが、ホイッスルとシュノーケルが一体化したものは未だ実施されていないのである。
【０００５】
安全に従事した水上及び水中活動を実施する為には、シュノーケルは大きな音を発することができる装置を設け、シュノーケルの機能を進歩させ、特に安全な構造を設ける必要がある。
【０００６】
一般的にシュノーケルを使用し遊泳及びシュノーケリングをする時、マスク及びゴーグルを併用し、シュノーケルをマスク側面に取り付け（図１参照）、頭にかけ、ホイッスルをシュノーケル上に結合したい場合は、ホイッスルが迅速に使用可能であることが必要である。
【特許文献１】実用新案登録第３０４７２９５号公報
【考案の開示】
【考案が解決しようとする課題】
【０００７】
上述の公知技術の問題を解決する為、本考案は、シュノーケルに警笛を発生可能なホイッスルを設け、シュノーケルを使用中に非常事態が発生した場合に、比較的大音量な警笛を発することができ、周囲の注意を引くことを可能とすることを目的とする。
【０００８】
本考案は、ホイッスルをマウス部通気口付近に設け、使用者に迅速なホイッスルの使用を提供することを目的とする。
【０００９】
本考案は、シュノーケルのマウス部通気口付近を旋転可能とし、通気口付近に設置されたホイッスルが口の近くに回転し、迅速な使用を可能にすることを目的とする。
【００１０】
また、シュノーケルの防水器部にホイッスルを設け、必要時に吹く息により警笛音を発生可能にすることを目的とする。
【課題を解決するための手段】
【００１１】
上記課題を解決するために、本考案は下記の特徴を有するホイッスル付きシュノーケルを提供する。
１．請求項１に記載のホイッスル付きシュノーケルは、吹く息により比較的大きな音を発することが可能なホイッスルを設置することを特徴とする。
２．請求項２に記載のホイッスル付きシュノーケルは、請求項１の場合において、
前記ホイッスルはマウス部通気口付近に設置されることを特徴とする。
３．請求項３に記載のホイッスル付きシュノーケルは、請求項２の場合において、
前記マウス部通気口付近は回転させることが可能であることを特徴とする。
４．請求項４に記載のホイッスル付きシュノーケルは、請求項１の場合において、
前記ホイッスルは防水器部に設置されることを特徴とする。
５．請求項５に記載のホイッスル付きシュノーケルは、請求項１の場合において、
前記ホイッスルはシュノーケルのパイプ部に設置されることを特徴とする。
【考案の効果】
【００１２】
上述のように、本考案が提供するホイッスル付シュノーケルは、使用者が大きな音を発する必要がある時に、シュノーケルがホイッスルを備えて使用を提供するが、更に一歩進んで、呼吸管の主要構造部１３は旋転可能で、ホイッスル２０をマウス部通気口１４付近に設けられ、主要構造部１３を回転すると即座に使用することが可能である。
【考案を実施するための最良の形態】
【００１３】
図１，２に示すように、本考案は、主に呼吸管１０及びホイッスル２０から構成される。
呼吸管１０は一般的な形式で構成され、上端のノズル１１、パイプ１２、主要構造部１３、マウス部通気口１４等から構成される。
【００１４】
図２に示すように、主要構造部１３はパイプ１２と相互に旋転可能な構造をもってなり、使用者がホイッスル２０及びマウス部通気口１４を選択し使用可能にすることを目的とする。
【００１５】
図３は、主要構造体１３とパイプ１２間の構造実例を示し、図に示すようにパイプ１２は通常軟質材料で構成（又はパイプ１２は硬質、主要構造部は軟質）され、パイプ１２と主要構造部１３間は簡単には水を通さないように構成される。主要構造部１３がパイプ１２を旋転可能とすることは本考案の特徴であるが、その形式は本実施例に限定するもではない。パイプ１２内の空間１２１と主要構造部１３内の空間１３１は相互に貫通している。
【００１６】
図４、５は、主要構造部１３上に設けられるホイッスル２０の実施例を示し、図に示すようにホイッスル２０は底板２１及びカバー２２から構成され、底板２１は主要構造部１３と製造時に一体化され、底板２１は主要構造部１３の空間１３１の一部分を占有するが、呼吸管１０の効能動作を妨げることはなく、カバー２２は製造後に底板２１上に張り合わせ可能である。上記ホイッスル２０は実施例の一つであり、類似する型態のホイッスルも利用可能とする。
【００１７】
図６に示すように、図２の主要構造部１３を旋転後、使用者はホイッスルを使用可能な状態になる。図７に示すように、図１の主要構造部１３を旋転後、使用者はホイッスルを使用可能な状態になる。
呼吸管１０及びホイッスル２０の形状は様々であり、図に示す実施例は本考案の呼吸管１０及びホイッスル２０を上記に制限するものではないとする。
【００１８】
図８に示すように、呼吸管１０は防水器３０を設けてなり、ホイッスル２０は防水器３０上に設置される。図９に示すように、ホイッスル２０はパイプ１２上に設置される。言い換えれば、ホイッスル２０は呼吸管１０のどこの位置にも設置可能であり、主に大きな音を発することが可能であることを特徴とする。
【００１９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２０】
【図１】本考案の実施例図である。
【図２】本考案の主体部分の立体図である。（マウス部パイプの状態）
【図３】本考案の主体部分の断面図である。
【図４】本考案の主体部分の分解図である。
【図５】本考案のホイッスルカバーの立体図である。
【図６】本考案の図２におけるホイッスルを旋転し使用時の状態図である。
【図７】本考案の実施例図である。（ホイッスル使用時の状態）
【図８】本考案の実施例図である。
【図９】本考案の実施例図である。
【符号の説明】
【００２１】
１０ 呼吸管
１１ ノズル
１２ パイプ
１２１ 空間
１３ 主要構造部
１３１ 空間
１４ マウス部通気口
２０ ホイッスル
２１ 底板
２２ カバー
３０ 防水器
【図１】
0003118015.tif 000003
【図２】
0003118015.tif 000004
【図３】
0003118015.tif 000005
【図４】
0003118015.tif 000006
【図５】
0003118015.tif 000007
【図６】
0003118015.tif 000008
【図７】
0003118015.tif 000009
【図８】
0003118015.tif 000010
【図９】
0003118015.tif 000011